(57)【要約】      （修正有）【課題】人感センサを用いずに人の存否を検出し、人が存在する所定領域の照明器具を点灯制御する照明制御システムを提供する。【解決手段】光源９ｔ、照明器具４ａ〜４ｎ毎に設定された器具アドレス信号Ａ１〜Ａｎを送信する一方、点灯制御信号を受信する器具送受信部、このより受信した点灯制御信号に従って前記光源の点灯を制御する制御端末９ａ〜９ｎ、をそれぞれ有する照明器具４ａ〜４ｎと前記器具送受信部から送信された器具アドレス信号を受信する一方、この受信した器具アドレス信号を送信する送受信部を有するタグ７と前記照明器具の配置と器具アドレスをそれぞれ対応させてなる器具アドレスマップを記憶したメモリの送受信部から器具アドレス信号を受信する受信部、器具アドレス信号を受信したときに、その照明器具とその周辺に配置された所定領域の照明器具とを前記メモリから読み出し、これら照明器具を点灯させる中央制御装置２とを具備する。【選択図】図１
2010129223.tif 000002
【特許請求の範囲】
【請求項１】
光源、照明器具毎に予め設定された器具アドレス信号を送信する一方、点灯制御信号を受信する器具送受信部、この器具送受信部により受信した点灯制御信号に従って前記光源の点灯を制御する器具制御装置、をそれぞれ有する複数の照明器具と；
前記器具送受信部から送信された器具アドレス信号を受信する一方、この受信した器具アドレス信号を送信する送受信部を有する携帯装置と；
前記複数の照明器具の配置と器具アドレスをそれぞれ対応させてなる器具アドレスマップを記憶したメモリ、前記携帯装置の送受信部から器具アドレス信号を受信する受信部、この受信部により器具アドレス信号を受信したときに、その器具アドレス信号が設定された照明器具とその周辺に配置された所定領域の照明器具とを前記メモリから読み出し、これら照明器具を点灯させる点灯制御信号を求める演算部、この演算部により求めた点灯制御信号を、前記受信部により受信された器具アドレス信号が設定された照明器具の送受信部に送信する送信部を有する中央制御装置と；
を具備していることを特徴とする照明制御システム。
【請求項２】
前記中央制御装置の演算部は、中央制御装置の受信部により複数の器具アドレス信号のいずれかを受信したときに、複数の照明器具の全部を所定時間点灯させた後、受信した器具アドレス信号の照明器具以外のものを消灯させ、または減光させる制御信号を送信部から送信させる手段を、具備していることを特徴とする請求項１記載の照明制御システム。
【請求項３】
前記複数の照明器具が配設される所定領域の入口に配設された人の有無を検出する人感センサを具備し、前記中央制御装置は、前記人感センサから人の存在を検出したときの人検出信号を前記受信部により受信したときに、前記入口近傍に配設された照明器具のみを点灯させる点灯制御信号を送信部から送信させる手段を設けていることを特徴とする請求項１または２記載の照明制御システム。
【請求項４】
前記携帯装置は、照度目標値を記憶するメモリ、照度を検出する光センサおよびこの照度目標値を前記受信部により受信された器具アドレス信号と共に、前記中央制御装置に送受信部から送信させる制御部を有し、前記中央制御装置は、前記光センサの照度検出値がこの照度目標値になるように前記照明器具の点灯を制御させる制御信号を前記送信部から送信させる手段を有することを特徴とする請求項１ないし３のいずれか一記載の照明制御システム。
【発明の詳細な説明】
【技術分野】
【０００１】
本発明は、複数の照明器具を具備した所要大の照明エリアの点消灯等を制御する照明制御システムに関する。
【背景技術】
【０００２】
従来、この種の照明制御システムの一例としては、事務所や会議室等比較的広範囲な空間の照明エリアに配設した複数の照明器具を、予め複数の照明モジュールに割り付けし、これら複数の照明モジュール毎に人感センサ（人体検知センサ）を設け、これら人感センサによる人体検知と照明モジュールを連動させて制御する照明制御システムが知られている（例えば、特許文献１参照）。
【特許文献１】特開平７−３１２２９４号公報
【発明の開示】
【発明が解決しようとする課題】
【０００３】
しかしながら、このような人感センサを用いた従来の照明制御システムでは、複数の照明器具の点消灯をきめ細かく制御するためには人感センサを多数配置する必要があるうえに、人感センサとして焦電型センサを用いている場合には、人の動きが止まっているときには不在として判断され、照明器具が消灯される虞もあった。
【０００４】
本発明の目的は、人感センサを用いずに人の存否を検出し、人が存在する所定領域の照明器具を自動的に点灯させる等の点灯制御を行う照明制御システムを提供することにある。
【課題を解決するための手段】
【０００５】
請求項１に係る照明制御システムは、光源、照明器具毎に予め設定された器具アドレス信号を送信する一方、点灯制御信号を受信する器具送受信部、この器具送受信部により受信した点灯制御信号に従って前記光源の点灯を制御する器具制御装置、をそれぞれ有する複数の照明器具と；
前記器具送受信部から送信された器具アドレス信号を受信する一方、この受信した器具アドレス信号を送信する送受信部を有する携帯装置と；
前記複数の照明器具の配置と器具アドレスをそれぞれ対応させてなる器具アドレスマップを記憶したメモリ、前記携帯装置の送受信部から器具アドレス信号を受信する受信部、この受信部により器具アドレス信号を受信したときに、その器具アドレス信号が設定された照明器具とその周辺に配置された所定領域の照明器具とを前記メモリから読み出し、これら照明器具を点灯させる点灯制御信号を求める演算部、この演算部により求めた点灯制御信号を、前記受信部により受信された器具アドレス信号が設定された照明器具の送受信部に送信する送信部を有する中央制御装置と；
を具備していることを特徴とする。
【０００６】
請求項１に係る発明において、照明器具の器具送受信部は、器具アドレス信号を、照明器具の光源の点滅等による可視光を利用した可視光信号により周期的に送信するように構成してもよい。また、点灯制御信号を受信する器具送受信部の受信部は、中央制御装置と有線または無線により接続されてもよい。
【０００７】
携帯装置は、人に携帯可能であれば、タグ形やカード形でもよく、送受信部を駆動するバッテリー内蔵形が好ましい。
【０００８】
中央制御装置のメモリは、複数の照明器具が配設される所要の空間である照明エリアを座標化し、この座標上に各照明器具を配置し、各照明器具には予め設定してある器具アドレスを付与してなる器具アドレスマップとして記憶してある。したがって、演算部は器具アドレスをメモリから読み出すことにより、当該器具アドレスが付与されている照明器具の位置、すなわち、携帯装置を携帯している人の存在と、その位置、並びに、その人の周辺の照明器具の器具アドレスを検出することができる。このために、人が存在する直下等近傍の照明器具とその周辺の予め設定された所定領域内にある照明器具に点灯制御信号を与えて、これら照明器具を点灯させ、明るくすることができる。そして、携帯装置を携帯している人が照明エリア内を移動すると、その移動に伴って人の存在する座席等の照明器具を自動的に点灯し、人が居なくなった座席等の照明器具を自動的に消灯させる。なお、ここで点灯制御とは、照明器具の点灯または消灯のほか、調光を含む。
【０００９】
請求項２に係る照明制御システムは、前記中央制御装置の演算部は、中央制御装置の受信部により複数の器具アドレス信号のいずれかを受信したときに、複数の照明器具の全部を所定時間点灯させた後、受信した器具アドレス信号の照明器具以外のものを消灯させ、または減光させる制御信号を送信部から送信させる手段を、具備していることを特徴とする。
【００１０】
請求項２に係る発明において、複数の照明器具の全部が点灯されると、これら全部の照明器具の器具送受信部から器具アドレス信号がそれぞれ送信される。このために、携帯装置の送受信部はこれら全部の器具アドレス信号のうちの１つを必ず受信することができる。このために、この携帯装置を所持（携帯）する人の存在とその位置を検出するための領域の拡大を図ることができる。
【００１１】
請求項３に係る照明制御システムは、前記複数の照明器具が配設される所定領域の入口に配設された人の有無を検出する人感センサを具備し、前記中央制御装置は、前記人感センサから人の存在を検出したときの人検出信号を前記受信部により受信したときに、前記入口近傍に配設された照明器具のみを点灯させる点灯制御信号を送信部から送信させる手段を設けていることを特徴とする。
【００１２】
請求項３に係る発明において、所定の照明エリアの入口で人の存在が人感センサにより検出されると、入口の照明器具が点灯される。このために、入口の照明器具の器具送受信部から当該器具アドレス信号が送信されるので、この入口から照明エリアに人が入った後は、人感センサを用いずに、携帯装置により、その携帯装置を携帯する人の存在とその位置、または移動を検出できる。
【００１３】
請求項４に係る照明制御システムは、前記携帯装置は、照度目標値を記憶するメモリ、照度を検出する光センサおよびこの照度目標値を前記受信部により受信された器具アドレス信号と共に、前記中央制御装置に送受信部から送信させる制御部を有し、前記中央制御装置は、前記光センサの照度検出値がこの照度目標値になるように前記照明器具の点灯を制御させる制御信号を前記送信部から送信させる手段を有することを特徴とする。
【００１４】
請求項４に係る発明において、中央制御装置は、携帯装置の光センサにより検出された照度検出値が携帯装置のメモリに記憶された照度目標値になるようにフィードバック制御する手段を有する。
【発明の効果】
【００１５】
請求項１に係る発明によれば、人感センサを用いずに、携帯装置を携帯している人の存在とその位置、または移動を検出し、その人のいる場所とその周辺の照明器具を移動と共に点灯し、明るくすることができる。また、人の居なくなった場所の照明器具を消灯させることができる。
【００１６】
請求項２に係る発明によれば、携帯装置を携帯している人の存否を検出するための領域の拡大を図ることができる。
【００１７】
請求項３に係る発明によれば、照明エリアの入口では人感センサにより人の存在を検出するが、この入口から照明エリア内へ人が入った後は、人感センサを用いずに、その人が携帯する携帯装置により、その人の存否と位置、または移動を検出することができる。
【００１８】
請求項４に係る発明によれば、複数の照明器具について、携帯装置の光センサにより検出された照度検出値が携帯装置のメモリに記憶された照度目標値になるようにフィードバック制御することができる。
【発明を実施するための最良の形態】
【００１９】
以下、本発明の実施形態を添付図面に基づいて説明する。なお、これら複数の添付図面中、同一または相当部分には同一符号を付している。
【００２０】
図１は本発明の一実施形態に係る照明制御システムの構成を示すブロック図、図２は図１で示す複数の照明器具の位置と器具アドレスとを設定する設定器のモニタ画面の一例を示す図、図３は図１で示す中央処理装置の構成を示すブロック図、図４は図１で示す制御端末装置の構成を示すブロック図、図５は図１で示す携帯装置の一例であるタグの構成を示すブロック図である。
【００２１】
図１に示すように照明制御システム１は、中央制御装置２と、この中央制御装置２に通信回路を兼用した電力線３を介して接続された複数の照明器具４ａ，４ｂ，４ｃ，…，４ｎ、人感センサ５、壁スイッチ６、携帯装置の一例であるタグ７、図２で示す設定器８を具備している。各照明器具４ａ〜４ｎは、器具本体４ｐに、図４で示す光源９ｓとその点灯回路９ｔを具備しており、さらに、電力線３に接続された器具制御装置である制御端末９ａ，９ｂ，９ｃ，…，９ｎをそれぞれ１台ずつ具備している。
【００２２】
図２に示すように照明器具４ａ〜４ｎは、事務室や会議室等の所要の照明エリアＡ内に配置され、器具アドレス信号Ａ１，Ａ２，Ａ３，…，Ａｎがそれぞれ１つずつ付与されている。
【００２３】
図２はこれら器具アドレス信号Ａ１〜Ａｎを各照明器具４ａ〜４ｎに付与し設定する設定器８のモニタ画面８ａに表示された器具アドレスマップの一例を示している。この設定器８は、その図示省略の操作部の所要の操作により、照明エリアＡ内を座標化し、これら座標上に照明器具４ａ〜４ｎをそれぞれ１つずつ配置することにより、器具アドレス信号Ａ１〜Ａｎを各照明器具４ａ〜４ｎにそれぞれ設定する。
【００２４】
設定器８は、図示省略の無線通信装置を具備しており、この無線通信装置により、上記設定した器具アドレスマップ８ａを中央制御装置２とタグ７とに送信し、これらの各メモリ２ｄ，９ｒにそれぞれ記憶させる。
【００２５】
図３に示すように中央制御装置２は、演算装置２ａ、有線送受信部２ｂ、無線送受信部２ｃ、メモリとしてのＲＡＭ２ｄおよびＲＯＭ２ｅを具備している。演算装置２ａは、無線送受信部２ｃが上記設定器８から送信された器具アドレスマップ８ａを受信したときに、この器具アドレスマップ８ａをＲＡＭ２ｄに記憶させる。
【００２６】
また、演算装置２ａは、この器具アドレスマップ８ａに基づいて各照明装置４ａ〜４ｎの各制御端末９ａ〜９ｎに、各器具アドレス信号Ａ１〜Ａｎを有線送受信部２ｂにより、通信回線を兼用した電力線３を介して送信し、各照明器具４ａ〜４ｎに器具アドレス信号Ａ１〜Ａｎをそれぞれ付与し設定する。
【００２７】
さらに、演算装置２ａは所要のタグ７から、そのタグ７固有のタグアドレス信号、器具アドレス信号、照度偏差信号を１組として無線送受信部２ｃにより受信したときは、その器具アドレス信号により特定された所定の照明器具４ａ〜４ｎを点灯させると共に、その明るさを、所定の照度設定値になるように制御する点灯制御信号を演算し、さらに、この点灯制御信号を、照明器具４ａ〜４ｎと、その周辺であって予め設定された所定領域の照明器具４ａ〜４ｎを求め、これら照明器具４ａ〜４ｎの制御端末９ａ〜９ｎに、無線送受信部２ｃから送信させる機能を有する。
【００２８】
図４に示すように各制御端末９ａ〜９ｎは、演算装置９ｏ、有線送受信部９P、ＲＯＭ９ｑ、ＲＡＭ９ｒ、各照明器具４ａ〜４ｎの光源９ｓの点灯、消灯、調光を行う点灯回路９ｔをそれぞれ具備している。光源９ｓとしては例えば１個以上のＬＥＤ（発光ダイオード）から構成してもよく、１個以上の蛍光ランプやＨＩＤランプ等でもよい。
【００２９】
演算装置９ｏは、その有線送受信部９ｐにより、上記中央制御装置２から各器具アドレス信号Ａ１〜Ａｎを受信したときに、その受信した器具アドレス信号Ａ１〜Ａｎを自己の器具アドレス信号としてＲＡＭ９ｒに記憶させる機能を有する。
【００３０】
また、演算装置９ｏは、自己の器具アドレス信号を、点灯回路９ｕを介して光源９ｔのＬＥＤを適宜点滅させることにより形成された可視光信号として照明エリアＡ内に周期的に送信している。ＬＥＤは、その点滅を蛍光ランプやＨＩＤランプよりも高速に行うことができるので、可視光の器具アドレス信号Ａ１〜Ａｎの送信を人に認識させずに行うことができるので、好ましい。
【００３１】
図５は上記可視光の器具アドレス信号Ａ１〜Ａｎを受信する光センサ７ａを具備したカード形または平板状等のタグ７の構成を示すブロック図である。
【００３２】
タグ７は、上記光センサ７ａのほかに、演算装置７ｂ、無線通信装置７ｃ、ＲＡＭ７ｄ、これら７ａ〜７ｄに電源を供給するバッテリー７ｅ、を具備している。ＲＡＭ７ｄには、このタグ７またはタグ７を所持している人に固有のタグアドレスと、その人の好みにより設定された照度目標値が記録されている。
【００３３】
演算装置７ｂは、無線通信装置７ｃにより、上記設定器８により設定された固有のタグアドレスと照度目標値等の設定データを受信したときに、これら設定データをＲＡＭ７ｄに記憶させる機能を有する。
【００３４】
また、演算装置７ｂは、光センサ７ａにより器具アドレス信号Ａ１〜Ａｎを受信（受光）したときに、この受信した器具アドレス信号Ａ１〜Ａｎを、自己のタグアドレスと対応させて一緒に無線通信装置７ｃから中央制御装置２に無線で送信させる機能を有する。
【００３５】
さらに、演算装置７ｂは、光センサ７ａにより検出された照度検出値を、ＲＡＭ７ｄに記憶されている照度目標値と比較して偏差を求め、その偏差を無線通信装置７ｃにより中央制御装置２へ無線で送信する。光センサ７ａは、その受光部の外周縁部に、この受光部を囲む所定高さの角筒状または円筒状のカラーを立設してもよい。これによれば、光センサ７ａにより受光される可視光の器具アドレス信号Ａ１〜Ａｎの混信を低減できる。
【００３６】
そして、図２に示すように人感センサ５は、例えば照明エリアＡの出入口１０，１０等に配設され、人を検出したときに、その人検出信号を電力線３を介して中央制御装置２の有線送受信部２ｂへ送信する送信部を具備している。
【００３７】
この中央制御装置２の有線送受信部２ｂにより受信された人検出信号が演算装置２ａに与えられると、演算装置２ａはＲＡＭ２ｄから器具アドレスマップ８ａを読み出し、この器具アドレスマップ８ａから出入口１０，１０に最も近い照明器具４ａ〜４ｎの器具アドレス、例えばＡ１等を検出し、この器具アドレス信号Ａ１等の照明器具４ａ〜４ｎを、予め設定してある所定の明るさで点灯させる点灯制御信号を与える。
【００３８】
このために、タグ７を持った人が出入口１０から照明エリアＡ内に入ると、その出入口１０近傍の照明器具４ａ〜４ｎが点灯するので、この照明器具４ａ〜４ｎから器具アドレス信号、例えばＡ１が送信される。
【００３９】
これにより、以後は、器具アドレス信号Ａ１〜Ａｎを受信するタグ７により、人の存否を検出し、照明器具４ａ〜４ｎを点灯制御できる状態になる。
【００４０】
また、壁スイッチ６は、そのオン操作により、照明エリアＡの全部の照明器具４ａ〜４ｎを所定時間点灯させ、全部の照明器具４ａ〜４ｎから各器具アドレス信号Ａ１〜Ａｎ信号をそれぞれ送信さてもよく、または、出入口１０近傍のみの照明器具４ａ〜４ｎを所定時間点灯させるように構成してもよい。
【００４１】
次に、この照明制御システム１の作用を説明する。
【００４２】
図２に示すように照明エリアＡ内では、点灯中の全部の照明器具４ａ〜４ｎの各制御端末９ａ〜９ｎの各光源９から予め付与設定されている器具アドレス信号Ａ１〜Ａｎが周期的に送信されている。このような状況の中で、所要のタグ７を携帯または所持した人が照明エリアＡ内の仮に器具アドレス信号がＡ６の地点の照明器具４ａ〜４ｎのいずれかの直下または近傍に在席している場合は、このＡ６の地点の照明器具４ａ〜４ｎの光源９ｔからＡ６の器具アドレス信号が可視光として送信されている。
【００４３】
このために、この器具アドレス信号Ａ６の地点の机上等に置かれたタグ７は、その光センサ７ａにより、その地点の器具アドレス信号Ａ６を受信し、さらに、その際の照度を検出する。
【００４４】
すると、タグ７の演算装置７ｂは、この受信した器具アドレス信号Ａ６、照度検出値信号およびＲＡＭ７ｄから読み出した照度目標値を無線通信装置７ｃにより、中央制御装置２へ送信する。
【００４５】
中央制御装置２は、この器具アドレス信号Ａ６、照度検出値信号および照度目標値信号を無線送受信部２ｃにより受信すると、演算装置２ａがＲＡＭ２ｄから器具アドレスマップ８ａを読み出して器具アドレス信号Ａ６が予め付与設定されている所定の照明器具４ａ〜４ｎのいずれかを中心器具αとして求め、さらに、その周辺であって、予め設定されている所定領域の器具アドレス信号Ａ１，Ａ２，Ａ３，Ａ７，Ａ１１，Ａ１０，Ａ９，Ａ５を周辺器具βとして求める。
【００４６】
一方、演算装置２ａは、受信した照度検出値を照度目標値と比較して偏差を求め、さらに、この偏差を解消して照度検出値が照度目標値になるための調光度（率）を算出し、中心器具αの点灯制御信号として算出する。
【００４７】
また、演算装置２ａは周辺器具βの調光度として予め設定されている調光度をＲＡＭ７ｄから読み出し、周辺器具βの点灯制御信号として算出する。
【００４８】
次に、演算装置２ａは、このようにして求めた中心器具αの点灯制御信号と周辺器具βの点灯制御信号を、器具アドレス信号Ｍ６，Ａ１，Ａ２，Ａ３，Ａ７，Ａ１１，Ａ１０，Ａ９，Ａ５の照明器具４ａ〜４ｎの制御端末９ａ〜９ｎに、有線送受信部２ｂから送信させる。
【００４９】
このために、Ｍ６の器具アドレス信号の照明器具４ａ〜４ｎが中心器具αとして点灯され、その明るさが照度目標値になるように調光される。また、その周辺の照明器具４ａ〜４ｎが周辺器具βとして点灯され、その明るさが設定照度になるように制御される。
【００５０】
これにより、タグ７を携帯している人が在席している空間とその周辺を明るくし、その明るさを、そのタグ７を携帯している人により予め設定された好みの明るさに制御することができる。
【００５１】
そして、このタグ７を携帯している人が移動すると、その移動に伴って、タグ７から中央制御装置２の無線送受信部２ｃへ送信された器具アドレス信号Ａ１〜Ａｎが変化するので、その移動とその移動軌跡を演算装置２ａにより検出することができる。
【００５２】
このために、タグ７の移動に伴って、タグ７のある、すなわち、人のいる箇所を中心としてその中心と周辺の照明器具４ａ〜４ｎが順次点灯されて行き、その明るさが設定照度で制御される。一方、人の居なくなった箇所の照明器具４ａ〜４ｎは順次消灯されて行く。したがって、人のいない箇所の照明器具４ａ〜４ｎを点灯させて置く無駄を未然に防止することができる。
【００５３】
そして、照明エリアＡの出入口１０，１０にタグ７を持った人が入ると、人感センサ５により、その人の存在が検出され、その人検出信号が電力線３を介して中央制御装置２ａの有線送受信部２ｂを経て演算装置２ａに与えられる。
【００５４】
このために、演算装置２ａは出入口１０，１０近傍の照明器具４ａ〜４ｎを器具アドレスマップ８ａから求め、この照明器具４ａ〜４ｎを予め設定した所定の明るさで点灯する。
【００５５】
これにより、少なくとも照明エリアＡの出入口１０，１０近傍の照明器具４ａ〜４ｎから器具アドレス信号Ａ１〜Ａｎが送信されるので、この器具アドレス信号Ａ１〜Ａｎを受信する光センサ７ａを有するタグ７により、人の存在とその位置を検出することができる。
【００５６】
なお、上記実施形態では、タグ７は、器具アドレス信号Ａ１〜Ａｎを受信したときに、この器具アドレス信号Ａ１〜Ａｎと共に、自己のタグアドレス信号と照度目標値も一緒に中央制御装置２に送信するように構成しているが、器具アドレス信号Ａ１〜Ａｎのみを送信するように構成してもよく、この器具アドレス信号Ａ１〜Ａｎの送信も間欠的にしてもよい。これによれば、バッテリー７ｅの電力の消耗を抑制することができる。
【００５７】
さらに、中心器具αを例えば全点灯（１００％点灯）に設定し、周辺器具βの調光率を、例えば中心器具αの明るさの７０％に設定してもよい。また、複数の人のタグ７，７がほぼ同一地点で重なった場合は、その中心器具αを、照度目標値の高い方に基づいて調光するように構成してもよい。
【００５８】
また、複数の人のタグ７，７の中心器具αと周辺器具βとが重なった場合には、その調光率の高い方、すなわち中心器具αの調光率を優先するように構成してもよい。
【００５９】
さらに、複数の人のタグ７，７が同一地点で重なった場合、これらタグ７，７の光センサ７ａにより検出された各照度検出値の平均値をこの地点の照度検出値とするようにしてもよい。
【００６０】
また、上記実施形態では、器具アドレス信号Ａ１〜Ａｎを可視光により送信する場合について説明したが、電波により送信してもよい。さらに、中央制御装置を、その受信部により複数の器具アドレス信号のいずれかを受信したときに、複数の照明器具の全部を所定時間点灯させた後、受信した器具アドレス信号の照明器具以外のものを消灯させ、または減光させる制御信号を送信部から送信させるように構成してもよい。また、各制御端末９ａ〜９ｎから送信される可視光の器具アドレス信号Ａ１〜Ａｎは、その点滅が高速であるために人に認識されにくいので、照明制御システム１の起動時に、照明器具４ａ〜４ｎの点灯の有無に拘らず、全部の制御端末９ａ〜９ｎから各器具アドレス信号Ａ１〜Ａｎを送信させるように構成してもよい。
【図面の簡単な説明】
【００６１】
【図１】本発明の一実施形態に係る照明制御システムの構成を示すブロック図。
【図２】図１で示す複数の照明器具の位置と器具アドレスとを設定する設定器のモニタ図。
【図３】図１で示す中央処理装置の構成を示すブロック図。
【図４】図１で示す制御端末装置の構成を示すブロック図。
【図５】図１で示す携帯装置の一例であるタグの構成を示すブロック図。
【符号の説明】
【００６２】
１…照明制御システム、２…中央制御装置、２ａ…演算装置、２ｂ…有線送受信部、２ｃ…無線送受信部、２ｄ…ＲＡＭ、２ｅ…ＲＯＭ、３…電力線、４ａ〜４ｎ…照明器具、５…人感センサ、６…壁スイッチ、７…タグ、７ａ…光センサ、７ｂ…タグの演算装置、７ｃ…タグの無線通信装置、７ｄ…タグのＲＡＭ、８…設定器、８ａ…モニタ画面（器具アドレスマップ）、９ａ〜９ｎ…制御端末（器具制御装置）。
【図１】
2010129223.tif 000003
【図２】
2010129223.tif 000004
【図３】
2010129223.tif 000005
【図４】
2010129223.tif 000006
【図５】
2010129223.tif 000007